(57)【要約】【課題】静止画繰り返し撮像を行うカメラにおいて、歩数に応じた適切な撮像を行うことができるカメラの提供。【解決手段】カメラ１は、静止画を繰り返し撮像し、撮像した静止画を記憶媒体に記録する撮像処理手段（３０，４２，５８）と、歩行動作を検出する歩行検出手段（５０）と、歩行検出手段（５０）の検出結果に基づいて、単位時間当たりの歩数を算出する歩数演算手段（３０）と、歩数演算手段（３０）で算出された歩数に応じて撮像処理手段（３０，４２，５８）による処理を変更する制御手段（３０）とを備える。【選択図】図１
2008288840.tif 000002
【特許請求の範囲】
【請求項１】
静止画を繰り返し撮像し、撮像した前記静止画を記憶媒体に記録する撮像処理手段と、
歩行動作を検出する歩行検出手段と、
前記歩行検出手段の検出結果に基づいて、単位時間当たりの歩数を算出する歩数演算手段と、
前記歩数演算手段で算出された歩数に応じて前記撮像処理手段による処理を変更する制御手段とを備えたことを特徴とするカメラ。
【請求項２】
請求項１に記載のカメラにおいて、
前記制御手段は、前記歩数演算手段で算出された歩数が第１の所定値以上の場合には、第１の時間間隔で前記撮像処理手段による撮像および記録を行い、前記歩数演算手段で算出された歩数が前記第１の所定値未満の場合には、前記第１の時間間隔よりも長い第２の時間間隔で前記撮像処理手段による撮像および記録を行うように制御することを特徴とするカメラ。
【請求項３】
請求項１に記載のカメラにおいて、
前記制御手段は、前記歩数演算手段で算出された歩数が第２の所定値以上の場合には、前記撮像処理手段による撮像および記録を行い、前記歩数演算手段で算出された歩数が前記第２の所定値未満の場合には、前記撮像処理手段による撮像および記録を行わないように制御することを特徴とするカメラ。
【請求項４】
請求項２に記載のカメラにおいて、
前記撮像処理手段により撮像された静止画と、その静止画よりも前記第２の時間間隔だけ前に撮像された静止画とが同一であるか否かを判定する判定手段をさらに備え、
前記制御手段は、前記歩数演算手段で算出された歩数が前記第１の所定値未満であって、かつ、前記判定手段により同一であると判定された場合には、前記撮像処理手段により撮像された静止画を前記記憶媒体に記録せず、それ以外の場合には、前記撮像処理手段により撮像された静止画を前記記憶媒体に記録するように制御することを特徴とするカメラ。
【請求項５】
請求項１〜４のいずれか一項に記載のカメラにおいて、
カメラのブレ量を検出するブレ量検出手段と、
前記ブレ量に基づいて前記撮像処理手段の撮像面上における被写体像のブレを補正するブレ補正手段とをさらに備え、
前記制御手段は、前記歩数演算手段で算出された歩数が第３の所定値以上の場合には、前記ブレ補正手段による補正を行い、前記歩数演算手段で算出された歩数が前記第３の所定値未満の場合には、前記ブレ補正手段による補正を行わないように制御することを特徴とするカメラ。
【請求項６】
請求項１〜４のいずれか一項に記載のカメラにおいて、
前記制御手段は、前記歩数演算手段で算出された歩数が第４の所定値以上の場合には、シャッター秒時を、歩数が前記第４の所定値未満である場合のシャッター秒時よりも短くし、かつ、絞り値を、歩数が前記第４の所定値未満である場合の絞り値よりも開放側の小さな値に設定することを特徴とするカメラ。
【請求項７】
請求項１〜４のいずれか一項に記載のカメラにおいて、
前記制御手段は、前記歩数演算手段で算出された歩数が第５の所定値未満の場合には、前記撮像処理手段による撮像信号の増幅を第１の増幅率で行わせ、前記歩数演算手段で算出された歩数が前記第５の所定値以上の場合には、前記撮像処理手段による撮像信号の増幅を前記第１の増幅率より大きな第２の増幅率で行わせることを特徴とするカメラ。
【発明の詳細な説明】
【技術分野】
【０００１】
本発明は、静止画を繰り返し撮像を行うカメラに関する。
【背景技術】
【０００２】
従来、カメラの撮影機能として、１回の撮影操作で、複数枚の静止画を所定時間間隔で連続して撮影するインターバル撮影がある（例えば、特許文献１参照）。
【０００３】
【特許文献１】特開２００６−２２９４８１号公報
【発明の開示】
【発明が解決しようとする課題】
【０００４】
しかしながら、カメラを持って動きながらインターバル撮影を行う場合、歩きながら撮影する場合と走りながら撮影する場合とでは、同じ時間間隔でもその間の距離が異なる。そのため、走りながらインターバル撮影を行ったときには、撮影したい画像を撮影し損なってしまう可能性が大きくなる。
【課題を解決するための手段】
【０００５】
請求項１の発明によるカメラは、静止画を繰り返し撮像し、撮像した静止画を記憶媒体に記録する撮像処理手段と、歩行動作を検出する歩行検出手段と、歩行検出手段の検出結果に基づいて、単位時間当たりの歩数を算出する歩数演算手段と、歩数演算手段で算出された歩数に応じて撮像処理手段による処理を変更する制御手段とを備えたことを特徴とする。
請求項２の発明は、請求項１に記載のカメラにおいて、歩数演算手段で算出された歩数が第１の所定値以上の場合には、第１の時間間隔で撮像処理手段による撮像および記録を行い、歩数演算手段で算出された歩数が第１の所定値未満の場合には、前記第１の時間間隔よりも長い第２の時間間隔で前記撮像処理手段による撮像および記録を行うようにしたものである。
請求項３の発明は、請求項１に記載のカメラにおいて、歩数演算手段で算出された歩数が第２の所定値以上の場合には、撮像処理手段による撮像および記録を行い、歩数演算手段で算出された歩数が第２の所定値未満の場合には、撮像処理手段による撮像および記録を行わないように制御するようにした。
請求項４の発明は、請求項２に記載のカメラにおいて、撮像処理手段により撮像された静止画と、その静止画よりも第２の時間間隔だけ前に撮像された静止画とが同一であるか否かを判定する判定手段をさらに備え、歩数演算手段で算出された歩数が第１の所定値未満であって、かつ、判定手段により同一であると判定された場合には、撮像処理手段により撮像された静止画を記憶媒体に記録せず、それ以外の場合には、撮像処理手段により撮像された静止画を記憶媒体に記録するように制御するようにしたものである。
請求項５の発明は、請求項１〜４のいずれか一項に記載のカメラにおいて、カメラのブレ量を検出するブレ量検出手段と、ブレ量に基づいて撮像処理手段の撮像面上における被写体像のブレを補正するブレ補正手段とをさらに備え、歩数演算手段で算出された歩数が第３の所定値以上の場合には、ブレ補正手段による補正を行い、歩数演算手段で算出された歩数が第３の所定値未満の場合には、ブレ補正手段による補正を行わないように制御するようにしたものである。
請求項６の発明は、請求項１〜４のいずれか一項に記載のカメラにおいて、歩数演算手段で算出された歩数が第４の所定値以上の場合には、シャッター秒時を、歩数が第４の所定値未満である場合のシャッター秒時よりも短くし、かつ、絞り値を、歩数が第４の所定値未満である場合の絞り値よりも開放側の小さな値に設定するようにしたものである。
請求項７の発明は、請求項１〜４のいずれか一項に記載のカメラにおいて、歩数演算手段で算出された歩数が第５の所定値未満の場合には、撮像処理手段による撮像信号の増幅を第１の増幅率で行わせ、歩数演算手段で算出された歩数が第５の所定値以上の場合には、撮像処理手段による撮像信号の増幅を第１の増幅率より大きな第２の増幅率で行わせるようにしたものである。
【発明の効果】
【０００６】
本発明によれば、静止画繰り返し撮像を行うカメラにおいて、歩数に応じた適切な撮像を行うことができる。
【発明を実施するための最良の形態】
【０００７】
以下、図を参照して本発明を実施するための最良の形態について説明する。図１は本発明によるカメラの一実施の形態を示すブロック図である。カメラ１は、筐体１０と、筐体１０を衣服等に装着するための留め金２０とを備えている。筐体１０の内部には、ＣＰＵ３０，撮影レンズ３２，絞り３４，ブレ補正光学系３６，シャッタ３８，光電変換部４０，画像処理部４２，絞り駆動部４４，補正光学系駆動部４６，シャッタ駆動部４８，歩行検知部５０，振動検知部５２，操作部５４，再生部５６，記録装置５８，タイミングジェネレータ６２，ドライバ６４，ＲＯＭ６６，ＲＡＭ６８，電源７０が設けられている。記録装置５８には記憶媒体６０が装着される。
【０００８】
被写体光は撮影レンズ３２により結像される。撮影レンズ３２を通過した被写体光は、絞り３４により光量を調節された後に、ブレ補正光学系３６およびシャッタ３８を介して光電変換部４０に入射する。絞り駆動部４４は、絞り３４の開口の開閉調整駆動を行う。シャッタ駆動部４８はシャッタ３８を開閉駆動する。
【０００９】
ブレ補正光学系３６は、振動検知部５２で検出された筐体１０の振れに基づいて、光電変換部４０の撮像面上の像振れを補正する。ブレ補正光学系３６は、補正光学系駆動部４６によって駆動される。振動検知部５２は、例えば、ジャイロセンサ等が用いられ、筐体１０の振動に伴う加速度を検出する。なお、ブレ補正光学系３６を用いたブレ補正の代わりに、画像処理により被写体の位置をシフトする電子的なブレ補正を用いても良い。
【００１０】
撮影レンズ３２により結像された被写体像は、光電変換部４０により電気的な信号に変換される。撮像信号は画像処理部４２に入力され、各種画像処理が施される。光電変換部４０は、タイミングジェネレータ６２およびドライバ６４を介してＣＰＵ３０によって制御される。光電変換部４０には、例えばＣＣＤ撮像素子等が用いられる。
【００１１】
画像処理部４２に入力された撮像信号は、ノイズ低減を行う相関二重サンプリング処理、および撮像信号のレベル調整を行うゲイン調整処理が施され、その後、アナログ信号からデジタル信号へとＡ／Ｄ変換される。ここでは、Ａ／Ｄ変換後の信号を画像信号と呼ぶことにする。
【００１２】
Ａ／Ｄ変換された画像信号は、光電変換部４０における撮像信号の読み出しに同期して、画像処理部４２に設けられたメモリ（不図示）に書き込まれる。以下の各種画像処理を行う際には、このメモリのデータにアクセスして処理を施し、処理されたデータは再びメモリに格納される。
【００１３】
画像信号は、所定の補間パターンで画素補間を行う画素補間処理、画素補間が行われたＲ、Ｇ、Ｂの各出力をゲイン補正してＲ、Ｇ、Ｂの色補正を行うホワイトバランス処理、階調変換を行うガンマ補正処理等が施される。また、圧縮解凍回路その他の信号処理回路によって処理されて、予め決められた形式（例えば、ＪＰＥＧ）の画像データに変換される。変換後の画像データは、記録装置５８を介して記憶媒体６０に記録される。
【００１４】
再生部５６は画像を再生表示する装置であり、液晶表示素子などが用いられる。再生部５６には、光電変換部４０で撮像された画像をリアルタイムに表示したり、記憶媒体６０に記憶されている画像データを再生表示したりすることができる。操作部５４は、カメラ１に動作指示の入力や設定入力等を行うための操作ボタン（例えば、電源スイッチ）や操作ダイヤルや操作レバー等で構成されている。
【００１５】
歩行検知部５０はカメラ１を形態している人の歩行状態を検知するものであり、周知の歩数計のように、振り子の振動や加速度センサ等により歩行時の振動を検出することで歩行を検知する。検知信号はＣＰＵ３０に入力され、そこで単位時間当たりの歩数が算出される。なお、歩行検知に関しては、従来の歩数計と同様な手法で行われる。
【００１６】
例えば、加速度センサを用いる場合、ＣＰＵ３０は、検出される加速度が所定閾値以上であったら１歩としてカウントする。そして、ＣＰＵ３０は、カウントされた歩数に基づいて単位時間当たりの歩数を算出する。所定閾値については、実験等を行うことにより標準的な値を決定し、ＲＯＭ６６に記憶させておく。また、歩行によりカメラ１に生じる振動は個人差があり、さらに、カメラ１の装着状態によっても異なるので、より適切に歩数が検出できるように操作部５４を用いて閾値を変更できるようにしても良い。
【００１７】
ＣＰＵ３０は、光電変換部４０で撮像された画像の所定領域のデータに基づいて、測光演算を行う。また、ＣＰＵ３０は、測光演算結果に基づいて、適正な露出となるように絞り３４およびシャッタ３８を制御する。ＣＰＵ３０は、ＲＯＭ６６に格納されているプログラムに基づいて、上記の歩数の演算、測光演算、露出制御およびブレ補正制御等やカメラ１全体の制御を行う。
【００１８】
《動作説明》
次に、インターバル撮影動作について説明する。本実施の形態におけるインターバル撮影では、カメラ１を携帯したユーザの歩行状態に応じて撮像間隔を変えたり、撮像や撮像された画像の記録等の処理を変更することで、撮影したい画像を撮影し損なうのを防止したり、無駄な撮像や画像データの蓄積を避けるようにした。
【００１９】
図２は、単位時間当たりの歩数に応じて撮像から画像データの記録までの撮像処理を切り換える際の、切換パターンの例を示したものである。図２の横軸は単位時間当たりの歩数を表す。横軸の上側には、単位時間当たり歩数に応じて撮影および記録の処理を切り換える場合の切換パターンＡ１，Ａ２を示す。一方、横軸の下側には、単位時間当たりの歩数に応じて撮影および記録の時間間隔を切り換える場合の切換パターンＢ、ブレ補正の切換パターンＣ、露出制御の切換パターンＤを示す。
【００２０】
基準となる歩数としては、歩いているか走っているか（歩行か走行か）を判定する第１の所定値Ｎ１と、歩行か停止しているかを判定する第２の所定値Ｎ２とを考える。一般的に、歩いている状態では１分間当たりの歩数は１００歩前後であって、歩数が２００前後になると走っている状態とみなされる。ここでは、第１の所定値Ｎ１をそれらの中間値である１５０（歩／分）とする。
【００２１】
一方、停止か歩行かの判定方法としては、厳密にいえば「０歩か否か」である。しかし、例えば２０（歩／分）程度で歩いていると、インターバル撮影された画像の間の変化が小さくなり、ほぼ同じような画像が何枚も撮像・記録されることになる。そのため、本実施の形態では、歩数が２０（歩／分）程度より小さい場合には停止しているとみなす。すなわち、第２の所定値Ｎ２としては０〜２０（歩／分）の間の歩数が選ばれる。
【００２２】
図２に示されている５つの切換パターンの内、撮像処理の切換制御を行う場合には切換パターンＡ１，Ａ２の一方を採用することになるが、その他の切換パターンＢ〜Ｄについては重複して採用することができる。なお、後述するように切換パターンＡ２の場合の停止状態においては、所定の条件に応じて、撮像と記録を行う動作と、撮像はするが記録はしない動作とのいずれかが実行される。
【００２３】
図３に示すフローチャートは、図２の切換パターンＡ２と切換パターンＢとを組み合わせて採用した場合の処理を示す。操作部５４に設けられたインターバル撮影を指示する操作ボタン（不図示）が操作されると、ＣＰＵ３０において図３に示す処理のプログラムが実行される。なお、カメラ１の電源を投入したときに、図３の処理がスタートするようにしても良い。
【００２４】
ステップＳ１０において、ＣＰＵ３０は、歩行検知部５０からの振動検出信号に基づいて単位時間当たりの歩数Ｎを演算する。ステップＳ２０において、ＣＰＵ３０は、ステップＳ１０で算出された歩数Ｎが第１の所定値Ｎ１以上か未満かを判定する。すなわち、カメラ１を携帯している人が走っているのか、それとも歩いているのかを判定する。ステップＳ２０で「Ｎ≧Ｎ１」と判定されるとステップＳ３０に進み、「Ｎ＜Ｎ１」と判定されるとステップＳ２２に進む。
【００２５】
ステップＳ２０で「Ｎ≧Ｎ１」と判定されてステップＳ３０に進んだ場合には、ステップＳ３０において、ＣＰＵ３０は、光電変換部４０による撮像を時間間隔ΔT1で行わせる。すなわち、前回の撮像から時間間隔ΔT1が経過した時点で撮像を行い、その撮像信号を画像処理部４２により処理して画像データを形成する。その後、ステップＳ４０において、ＣＰＵ３０は、形成された画像データを、記録装置５８を介して記憶媒体６０に記録する。
【００２６】
ステップＳ４０の処理が終了したならばステップＳ５０へ進む。ステップＳ５０では、ＣＰＵ３０は、操作部５４が操作されてインターバル撮影の終了が指示されたか否かを判定する。ＣＰＵ３０は、ステップＳ５０において終了の指示があったと判定した場合には、ステップＳ６０に進んでインターバル撮影モードを終了する。一方、ステップＳ５０で終了の指示がないと判定した場合には、ステップＳ１０へ戻る。
【００２７】
一方、ステップＳ２０で「Ｎ＜Ｎ１」と判定されてステップＳ２２に進んだ場合には、ステップＳ２２において、ＣＰＵ３０は、ステップＳ１０で算出された算出された歩数Ｎが第２の所定値Ｎ２以上か未満かを判定する。すなわち、カメラ１を携帯している人が歩いているのか、それとも停止しているのかを判定する。ステップＳ２２で「Ｎ≧Ｎ２」と判定されるとステップＳ２４に進み、「Ｎ＜Ｎ２」と判定されるとステップＳ５０に進む。
【００２８】
ステップＳ２２で「Ｎ≧Ｎ２」と判定されてステップＳ２４に進んだ場合には、ＣＰＵ３０は、光電変換部４０による撮像を時間間隔ΔT2で行わせる。すなわち、前回の撮像から時間間隔ΔT2が経過した時点で撮像を行い、その撮像信号を画像処理部４２により処理して画像データを形成する。なお、時間間隔ΔT2は時間間隔ΔT1よりも長い。ステップＳ２４が終了したならばステップＳ４０へ進む。ステップＳ４０以降の処理は、上述した通りである。
【００２９】
上述したように、図３に示す処理では、走行の場合には撮像の時間間隔を歩行の場合よりも小さくするようにした（ΔT1＜ΔT2）ので、より速く変化する風景に対して適切な撮像間隔を設定することができる。また、停止のときには撮像および記録を行わないので、ほぼ同様の画像が何枚も撮影されるのを防止することができるとともに、省電力を図ることができる。また、本実施の形態のカメラ１は、留め金２０により衣服等に装着できるカメラであって、インターバル撮影を適切の時間間隔で行うことができる。そのため、従来のカメラのようにカメラを手に持って撮影する場合に比べて、構えた感じではなく自然な感じで撮影が行え、今までとは違った雰囲気の意外な画像を撮影することができる。
【００３０】
［変形例１］
図４は、図３に示した処理の第１の変形例を示す図である。図３に示した処理では、ステップＳ２２で「Ｎ＜Ｎ２」と判定された場合は、すなわち「停止」と判定された場合には、ほぼ同様の画像が何枚も撮影されるのを防止するために、撮像を行わないようにした。ところで、停止と判定される状況においても、撮影者の姿勢が変わったりすると画像が変化することがある。しかし、図３の処理では停止状態では撮像を行わないので、そのような画像が撮像および記録されないという欠点がある。
【００３１】
そこで、図４に示す第１の変形例では、ステップＳ２２で停止（Ｎ＜Ｎ２）と判定された場合の処理を、図３の場合と異なる処理とした。すなわち、ステップＳ２２でＮ＜Ｎ２と判定されると、ステップＳ２６に進んで、ＣＰＵ３０は、光電変換部４０による撮像を時間間隔ΔT2で行わせる。
【００３２】
次いで、ステップＳ２８において、撮像された画像を、その画像の直前に撮像された画像と比較する。なお、停止状態が継続している場合には、時間間隔ΔT2だけ前に撮像された画像が直前の画像となる。画像の比較は、例えば、２つの画像の同一位置にある画素の撮像信号の差分を求め、各画素について得られた差分の総和を算出する。この総和は、画像が厳密に同一であればゼロとなり、画像が異なっていれば値が大きくなる。
【００３３】
そこで、同一画像か否かの判定基準値を予め設定しておき、ステップＳ２８では判定基準値と総和とを比較する。そして、総和が判定基準値よりも小さければ「同一画像（ｙｅｓ）」と判定し、ステップＳ５０へ進む。一方、総和が判定基準値以上であれば「異なる画像（ｎｏ）」と判定し、ステップＳ４０へ進んで画像データを記憶媒体６０に記録する。
【００３４】
このように、第１の変形例では、停止状態であっても時間間隔ΔT2で撮像を行い、同一画像でないと判定された画像だけを記録するようにしたので、ほぼ同様の画像が何枚も撮影されるのを防止できるとともに、画像が異なっていれば停止状態においても確実に記録することができる。
【００３５】
［変形例２］
図５は、図３に示す処理の第２の変形例を示す図である。図５に示すフローチャートは、図２の切換パターンＡ２，Ｂ，Ｃ，Ｄを採用した場合のフローチャートの一部を示したものであり、図３のステップＳ１０とステップＳ４０との間の処理を示している。ステップＳ２１Ａ，２１Ｂが切換パターンＤに関する処理で、ステップＳ２３Ａ，２３Ｂおよび２９が切換パターンＣに関する処理である。
【００３６】
ステップＳ２０で歩数ＮがＮ＜Ｎ１であると判定されると、すなわち歩行または停止であると判定されるとステップＳ２１Ｂへ進む。ステップＳ２１Ｂでは、ＣＰＵ３０は、Ｅｖ（ExposureValue）線図に基づく通常のシャッタ秒時および絞り値にシャッタ３８および絞り３４を制御する。
【００３７】
一方、ステップＳ２０で歩数ＮがＮ≧Ｎ１であると判定されると、すなわち走行と判定されるとステップＳ２１Ａへ進む。ステップＳ２１Ａでは、ＣＰＵ３０は、ステップＳ２１Ｂの場合と同じＥｖ値に保ちつつ、通常よりもシャッタ秒時を短くし、かつ、絞りを開放側に駆動して絞り値を通常よりも小さく設定する。さらに、ステップＳ２９に進んでブレ補正機能をオンする。すなわち、走行状態では相対的に被写体の変化が速くなるとともに、カメラのブレも大きくなるので、撮像時のブレを防止するように露出制御やブレ補正制御を行う。
【００３８】
また、ステップＳ２２で歩数ＮがＮ≧Ｎ２であると判定されると、すなわち歩行であると判定されると、ステップＳ２３Ａへ進んでブレ補正機能をオンする。その結果、歩行によるカメラ１のブレの影響を軽減することができる。一方、ステップＳ２２で歩数ＮがＮ＜Ｎ２であると判定されると、すなわち停止状態であると判定されると、ステップＳ２３Ｂへ進んでブレ補正機能をオフする。停止状態ではカメラ１がブレることはほとんど無いので、ブレ補正機能をオフすることで電力消費の低減を図る。
【００３９】
なお、撮像時のブレを低減する方法として、光電変換部４０の撮像信号を増幅する際のゲインを上げて撮像の感度を上げる方法もある。例えば、歩数ＮがＮ１以上となった場合には、通常よりもゲインを上げる。撮像の感度が上昇すれば、それだけシャッタ秒時も短くて済むので、撮像時のブレを低減することができる。
【００４０】
図２に示した例では、時間間隔および露出制御の切換タイミングを歩数Ｎ１としたが、歩数Ｎ１に合わせる必要はない。また、切換タイミングの歩数を複数設定して、時間間隔や露出制御を段階的に切り換えるようにしても良い。同様に、ブレ補正の切換タイミングの歩数に関しても、歩数Ｎ２でなくても構わない。
【００４１】
以上説明したように、本実施の形態では、カメラ１を携帯するユーザの歩行状態に応じて、撮像の時間間隔の変更や、ブレ補正制御や、露出制御等を行うようにしたので、適切な時間間隔で適切な画像を撮影することができる。また、停止時には、ほぼ同様な画像が記録されないような制御をしたり、撮像を停止するような制御を行っているので、記憶媒体６０の記憶容量を有効に活用できるとともに、省電力を図ることができる。
【００４２】
なお、図１では省略したが、ＧＰＳ測位装置や送受信装置を設けても良い。例えば、画像データを記録する際に、撮像時にＧＰＳ測位装置で取得される位置情報を画像データに関連づけて記録するようにしても良い。また、移動時に撮影された画像を送受信装置を介してＷｅｂ上のホームページ等に送信したり、逆に、画像データを受信したりしても良い。本実施の形態のカメラは、留め金２０の形態を変えることで、人だけでなく、犬やネコ等の小動物や野生の動物等に装着が可能である。また、本発明の特徴を損なわない限り、本発明は上記実施の形態に何ら限定されるものではない。
【図面の簡単な説明】
【００４３】
【図１】本発明によるカメラの一実施の形態を示すブロック図である。
【図２】切換パターンの例を示す図である。
【図３】切換パターンＡ２と切換パターンＢとを組み合わせて採用した場合の処理を示すフローチャートである。
【図４】第１の変形例を示すフローチャートである。
【図５】第２の変形例を示すフローチャートである。
【符号の説明】
【００４４】
１：カメラ、１０：筐体、２０：留め金、３０：ＣＰＵ、３２：撮影レンズ、３４：絞り、３６：ブレ補正光学系、３８：シャッタ、４０：光電変換部、４２：画像処理部、４４：絞り駆動部、４６：補正光学系駆動部、４８：シャッタ駆動部、５０：歩行検知部、５２：振動検知部、５４：操作部、５６：再生部、５８：記録装置、６０：記憶媒体、６２：タイミングジェネレータ、６４：ドライバ、６６：ＲＯＭ、６８：ＲＡＭ、７０：電源
【図１】
2008288840.tif 000003
【図２】
2008288840.tif 000004
【図３】
2008288840.tif 000005
【図４】
2008288840.tif 000006
【図５】
2008288840.tif 000007